(57)【要約】調節可能な表面積、外形、及び／又は調節可能な部分を有するファブリック（１）は、織り交ぜられた織物繊維と、電流を受けるとファブリックの表面積を変更する、織物繊維内に編み込みされた少なくとも１つの形状記憶合金繊維（４０）と、少なくとも１つの形状記憶合金繊維に電流を流す手段（１００）を有する。
2007510815.tif 000002
【特許請求の範囲】
【請求項１】
調節可能な表面積を有するファブリックであって、
織り交ぜられた織物繊維と、
電流を受けると前記ファブリックの表面積を変更する、前記織物繊維に編み込みされた少なくとも１つの形状記憶合金繊維と、
前記少なくとも１つの形状記憶合金繊維に電流を流す手段と、
を有するファブリック。
【請求項２】
前記少なくとも１つの形状記憶合金繊維は、断面において、円形、楕円形、又は矩形である請求項１記載のファブリック。
【請求項３】
前記少なくとも１つの形状記憶合金繊維は、前記ファブリックにおいてシヌソイド又はフィッシュボーンパターンで編み込まれる請求項１記載のファブリック。
【請求項４】
前記少なくとも１つの形状記憶合金繊維は、電流を受けると真っ直ぐにされた位置から湾曲位置に変化する請求項１記載のファブリック。
【請求項５】
前記少なくとも１つの形状記憶合金繊維は、電流を受けると前記ファブリックの面において真っ直ぐにされた位置から湾曲位置に変化する請求項４記載のファブリック。
【請求項６】
前記少なくとも１つの形状記憶合金繊維の第１の部分は、電流を受けると真っ直ぐにされた位置から第１の湾曲位置に変化し、前記少なくとも１つの形状記憶合金繊維の第２の部分は、電流を受けると真っ直ぐにされた位置から第２の湾曲位置に変化する請求項４記載のファブリック。
【請求項７】
前記湾曲位置は、前記少なくとも１つの形状記憶合金繊維の長さの３乃至８パーセントの曲げを有する請求項４記載のファブリック。
【請求項８】
前記少なくとも１つの形状記憶合金繊維は更に、絶縁層を有する請求項１記載のファブリック。
【請求項９】
前記織り交ぜられた織物繊維は更に、少なくとも１つの弾性材料を有する請求項１記載のファブリック。
【請求項１０】
前記少なくとも１つの形状記憶合金繊維に電流を流す手段は更に、前記少なくとも１つの形状記憶合金繊維に流れる電流を変更する電流調整器を有する請求項１記載のファブリック。
【請求項１１】
選択された最大電流は、前記少なくとも１つの形状記憶合金繊維の全長の８パーセント未満の湾曲角度を生成する請求項１０記載のファブリック。
【請求項１２】
前記少なくとも１つの形状記憶合金繊維は、前記織り交ぜられた織物繊維の少なくとも１つに取り付けられる請求項１記載のファブリック。
【請求項１３】
前記ファブリックの前記表面積は、増加的に調節可能である請求項５記載の方法。
【請求項１４】
調節可能な表面積を有するファブリックを生成する方法であって、
織物繊維を、少なくとも１つの形状記憶合金繊維と共に編み込む段階と、
前記少なくとも１つの形状記憶合金繊維を、前記少なくとも１つの形状記憶合金繊維に電流を流す手段に接続する段階と、
前記ファブリックの表面積が調節されるよう前記少なくとも１つの形状記憶合金繊維に流れる電流の制御を可能にする段階と、
を有する方法。
【請求項１５】
少なくとも１つの調節可能な部分を有する衣服であって、
織り交ぜられた繊維と、電流を受けると前記ファブリックの表面積を変更する、前記織物繊維内に編み込みされた少なくとも１つの形状記憶合金繊維と、前記少なくとも１つの形状記憶合金繊維に電流を流す手段とを有するファブリックを有する衣服。
【請求項１６】
前記少なくとも１つの形状記憶合金繊維は、電流を受けると真っ直ぐにされた位置から湾曲位置に変化する請求項１５記載の衣服。
【請求項１７】
前記少なくとも１つの形状記憶合金繊維は、電流を受けると前記ファブリックの面において真っ直ぐにされた位置から湾曲位置に変化する請求項１６記載の衣服。
【請求項１８】
前記少なくとも１つの形状記憶合金繊維は、前記衣服の調節可能部分を囲むよう前記織物繊維に編み込みされる請求項１５記載の衣服。
【請求項１９】
前記衣服の前記調節可能部分は、付属物用の開口である請求項１８記載の衣服。
【請求項２０】
前記衣服の前記調節可能部分は、着用者の体に前記衣服をフィットさせる手段を有する請求項１８記載の衣服。
【請求項２１】
前記衣服の前記少なくとも１つの調節可能部分は更に、前記衣服を着用者の所望の周囲にフィットさせる手段を有する請求項１５記載の衣服。
【請求項２２】
前記衣服の前記少なくとも１つの調節可能部分は更に、前記衣服を着用者の所望の丈にフィットさせる手段を有する請求項１５記載の衣服。
【請求項２３】
前記衣服の前記少なくとも１つの調節可能部分は更に、個別に調節可能な部分のパターンを有し、該部分は合わせられて、前記衣服を着用者の体にフィットさせる手段を構成する請求項１５記載の衣服。
【請求項２４】
前記少なくとも１つの形状記憶合金繊維は更に、一方向記憶効果を有する請求項１５記載の衣服。
【請求項２５】
前記少なくとも１つの形状記憶合金繊維は更に、双方向記憶効果を有する請求項１５記載の衣服。
【請求項２６】
前記少なくとも１つの形状記憶合金繊維は更に、絶縁層を有する請求項１５記載の衣服。
【請求項２７】
前記織り交ぜられた織物繊維は更に、少なくとも１つの弾性材料を有する請求項１５記載の衣服。
【請求項２８】
前記調節可能部分における第１及び第２の個々にアドレス可能な形状記憶合成繊維を更に有し、
前記少なくとも１つの形状記憶合金繊維に電流を流す手段は更に、制御部を有する請求項１６記載の衣服。
【請求項２９】
着用者は、前記制御部を作動させて、前記衣服の前記調節可能部分を変更するよう前記第１の又は前記第２の個々にアドレス可能な形状記憶合金繊維を選択する請求項２８記載の衣服。
【請求項３０】
前記少なくとも１つの形状記憶合金繊維に電流を流す手段は更に、前記少なくとも１つの形状記憶合金繊維に流れる電流を変更する電流調整器を有する請求項１５記載の衣服。
【請求項３１】
選択された最大電流は、前記少なくとも１つの形状記憶合金繊維の全長の８パーセント未満の湾曲角度を生成する請求項１５記載の衣服。
【請求項３２】
前記少なくとも１つの形状記憶合金繊維は、前記織り交ぜられた織物繊維の少なくとも１つに取り付けられる請求項１５記載の衣服。
【請求項３３】
前記衣服の前記少なくとも１つの調整可能部分は、増加的に調節可能である請求項１５記載の衣服。
【請求項３４】
前記衣服は、靴下、ズボン、スカート、ワンピース、シャツ、ネクタイ、ブレザー、下着、ブラウス、コート、ジャケット、帽子、手袋、ミトン、ショーツ、スカーフ、靴、サンダル、スリッパ、ヘッドバンド、ベルト、スポーツコート、スーツ、パジャマ、靴下、髪を集める手段、バックパック、財布、ブリーフケース、ハンドバッグ、サスペンダー、ベスト、リストバンド、靴紐、及びカツラから構成される群から選択される請求項１５記載の衣服。
【請求項３５】
少なくとも１つの調節可能部分を有する衣服を生成する方法であって、
織物繊維を、少なくとも１つの形状記憶合金繊維と共に編み込むことによってファブリックを形成する段階と、
前記少なくとも１つの形状記憶合金繊維を、前記少なくとも１つの形状記憶合金繊維に電流を流す手段に接続する段階と、
前記ファブリックの少なくとも一部分を使用して衣服を形成する段階と、
前記衣服の前記調節可能部分の表面積が調節されるよう前記少なくとも１つの形状記憶合金繊維に流れる電流の制御を可能にする段階と、
を有する方法。
【請求項３６】
調節可能な外形を有するファブリックであって、
織り交ぜられた織物繊維と、
電流を受けると前記ファブリックの前記外形を変更する、前記織物繊維に編み込みされた少なくとも１つの形状記憶合金繊維と、
前記少なくとも１つの形状記憶合金繊維に電流を流す手段と、
を有するファブリック。
【請求項３７】
前記少なくとも１つの形状記憶合金繊維は、断面において、円形、楕円形、又は矩形である請求項３６記載のファブリック。
【請求項３８】
前記少なくとも１つの形状記憶合金繊維は、前記ファブリック内にスパイラル、ブルズアイ、又はアーチ状パターンに編み込みされる請求項３６記載のファブリック。
【請求項３９】
前記少なくとも１つの形状記憶合金繊維は、電流を受けると真っ直ぐにされた位置から湾曲位置に変化する請求項３６記載のファブリック。
【請求項４０】
前記少なくとも１つの形状記憶合金繊維は、電流を受けると前記ファブリックの面以外の方向において真っ直ぐにされた位置から湾曲位置に変化する請求項３９記載のファブリック。
【請求項４１】
前記少なくとも１つの形状記憶合金繊維の第１の部分は、電流を受けると真っ直ぐにされた位置から第１の湾曲位置に変化し、前記少なくとも１つの形状記憶合金繊維の第２の部分は、電流を受けると真っ直ぐにされた位置から第２の湾曲位置に変化する請求項３９記載のファブリック。
【請求項４２】
前記湾曲位置は、前記少なくとも１つの形状記憶合金繊維の長さの３乃至８パーセントの曲げを有する請求項３９記載のファブリック。
【請求項４３】
前記少なくとも１つの形状記憶合金繊維は更に、絶縁層を有する請求項３６記載のファブリック。
【請求項４４】
前記織り交ぜられた織物繊維は更に、少なくとも１つの弾性材料を有する請求項１記載のファブリック。
【請求項４５】
前記少なくとも１つの形状記憶合金繊維に電流を流す手段は更に、前記少なくとも１つの形状記憶合金繊維に流れる電流を変更する電流調整器を有する請求項３６記載のファブリック。
【請求項４６】
選択された最大電流は、前記少なくとも１つの形状記憶合金繊維の全長の８パーセント未満の湾曲角度を生成する請求項４５記載のファブリック。
【請求項４７】
前記少なくとも１つの形状記憶合金繊維は、前記織り交ぜられた織物繊維の少なくとも１つに取り付けられる請求項３６記載のファブリック。
【請求項４８】
前記ファブリックの前記表面積は、増加的に調節可能である請求項４０記載の方法。
【請求項４９】
調節可能な外形を有するファブリックを生成する方法であって、
織物繊維を、調節可能な外形を可能にするパターンで少なくとも１つの形状記憶合金繊維と共に編み込む段階と、
前記少なくとも１つの形状記憶合金繊維を、前記少なくとも１つの形状記憶合金繊維に電流を流す手段に接続する段階と、
前記ファブリックの前記表面外形が調節されるよう前記少なくとも１つの形状記憶合金繊維に流れる電流の制御を可能にする段階と、
を有する方法。
【請求項５０】
少なくとも１つの調節可能な外形領域を有するファブリックであって、
織り交ぜられた織物繊維と、電流を受けると前記ファブリックの外形を変更する、前記織物繊維に編み込みされた少なくとも１つの形状記憶合金繊維と、前記少なくとも１つの形状記憶合金繊維に電流を流す手段とを有するファブリックを有し、
前記衣服は更に、前記電流を流す手段を選択的に制御する制御手段を有する衣服。
【請求項５１】
前記衣服は、靴下、ブラジャー、シャツ、下着、及び靴紐から構成される群から選択される請求項５０記載の衣服。
【発明の詳細な説明】
【発明の詳細な説明】
【０００１】
ファブリックは、織物繊維から形成される。ファブリックは伸縮可能であり、また、しばしば、伸長し且つ元の形に戻ることを可能にするよう弾性成分又は繊維を有する。ファブリックの表面積は通常決まっている。ファブリックの表面積を減少するために、ファブリックは通常畳まれ、曲げられ、又は束にされる。ファブリックの表面積を増加するために、ファブリックは通常ある面積に広げられなければならないか、又は、別の形の抵抗に対して引っ張られなければならない。しばしばファブリックは、何回か伸長された後には元の表面積には戻らない。
【０００２】
ファブリックは、伸縮可能であり、また、しばしば、伸長し且つ元の形に戻ることを可能にするようスパンデックス（Spandex）といった弾性成分又は繊維を含む。ファブリックの表面積は通常決まっている。一般的に、ファブリックは、衣服を作るようパターンに縫われる。衣服は、様々なサイズ又は形に製造及び／又は大量生産される。しばしば、同じスタイルの衣服が、様々なサイズの着用者に対応するよう複数のサイズで生産される。
【０００３】
ファブリックの外形は、通常、特定のパターンに固定されるか、又は、ワイヤフレームといった埋め込みされた外形支持体によって固定される。ファブリックの表面外形を調整するために、ファブリックは通常畳まれるか、曲げられるか、又はフレームに亘って束にされる。しばしば、ファブリックは、何回かの外形変更の後その元の表面積には戻らない。更に、そのようなファブリックの外形を反復可能な様に調整することは困難である。
【０００４】
導電繊維を含むファブリックは一般的に当該技術において周知である。このようなファブリックは、回路を作成するよう織物繊維と織り交ぜられる繊維を含む。電流がスイッチと電源を用いてそのようなファブリック上の領域に選択的に渡されることが可能である。図１は、導電繊維を含む衣服２を示す。衣服２は、その中を電源４からの電流が通されることが可能な導電繊維から形成された３つの電流経路３、３’、３’’を有する。衣服２は更に、衣服の着用者がどの電流経路を選択するかを選択することのできるスイッチ５も含む。例えば、ユーザは、クリップ６において、衣服２に、携帯電話機又は携帯無線機といった携帯可能な電子装置を取り付けることが可能である。着用者が、スイッチ５を、電子装置に電気を供給するよう設定すると、電流が、電源４から電流経路３’’を介してクリップ６に、そして取り付けられた装置内に流れる。電流経路３、３’、及び３’’を構成する導電繊維は更に、高い抵抗を有するよう選択されることも可能である。従って、電流経路は、抵抗器として作用し、また、熱として電気エネルギーを放出する。電流経路３、３’、及び３’’は、衣服２を選択された領域において暖めるよう使用可能である。しかし、これらのファブリックは、衣服２の表面積を選択的に制御するよう使用されない。
【０００５】
マッスルワイヤ（Muscle Wire：商標）は、形状記憶合金（ＳＭＡ）からなる細く高処理されたより糸であり、異なる温度において完全に異なる形状、即ち、「位相」を取ることが可能である。マッスルワイヤは、航空宇宙産業、製造処理の自動化において、及び趣味人及びロボット工学実験者によって世界中で主に使用されている。
【０００６】
マッスルワイヤは、室温で、小さな力で簡単に伸ばすことが可能である。しかし、電流を流すとき、ワイヤは加熱され、「伸ばされていない」形状に戻るより硬い形に変化する。ワイヤは使用可能な量の力で長さが短くなり、冷却されると、再び緩み、再活性化のための準備が整う。大きいワイヤは、小さいワイヤより強く、強度は直径に応じて異なる。一部の最小のワイヤは、重力に対して２０グラムを持ち上げることが可能であり、最大ワイヤは、最大２，０００グラム（４．４ポンド以上）持ち上げることが可能である。冷たいときにワイヤを伸ばすために必要な量は、加熱されたときのワイヤによって使用される力の約６分の１である。マッスルワイヤは、その長さの最大８％まで伸ばされることが可能であり、また、完全に復活するが、これは、数回のサイクルでしかない。追加の強度のために、２つ以上のワイヤが並列に使用可能である。このことは、小さいワイヤの速いサイクル回数を維持しながら必要に応じて大きな強度を与える。
【０００７】
マッスルワイヤは、非常に安定して信頼のある性能で何百万回ものサイクルの間作動する。マッスルワイヤは、ＳＭＡ技術を使用する。形状記憶合金（ＳＭＡ）は、加熱されたとき又は冷却されたときに形状変化する複合材料である。ニチノール、即ち、ニッケル及びチタンのＳＭＡ組合せは、様々な形に加工可能であり、また、電流から動作を得るための代案である。一般的に、モータ又はソレノイドが使用されるが、その機械的単純さ、高い強度対重量比、低音出力、及び正確な制御によってＳＭＡが有利である場合が多くある。形状記憶効果は繰り返し可能であり、また、一般的に、最大８％のひずみ回復をもたらすことが可能である。マッスルワイヤは、直径が１５０ミクロンまで小さいことが可能であり、また、丸くても四角形／矩形であってもよい。
【０００８】
本願に参考として組み込む公開された米国特許出願番号第２００２／００６１６９２号は、ファブリックの表面に取り付けられる（即ち、縫い付けられる）か、又は、２層以上のファブリックによって包まれる形状記憶金属を有するフラットファブリックを記載する。形状記憶金属ワイヤは、変形するよう選択的に加熱され、冷却すると真っ直ぐになる。フラットファブリックは、人の付属物（appendage）を囲むよう形成される。人体部（例えば、腕）は、金属ワイヤが冷たいときにはファブリックに自由にはいる。電流を発生させると、形状記憶金属ワイヤは変形して、人の付属物に圧力を選択的に与える。第２００２／００６１６９２号は、付属物を囲まないファブリックと形状記憶合金ワイヤから形成されるファブリックは含まない。
【０００９】
従って、弾性ファブリックが、その表面積を選択的に制御し、衣服の形状を調整し、及び／又は、衣服の表面外形を選択的に制御し、従来技術の制限を有さない手段を含むことが望ましい。
【００１０】
本発明は、従来技術に関連付けられる問題を解決する。１つの面では、調節可能な表面積を有するファブリックは、織り交ぜ合わされた織物繊維と、織物繊維内に編み込まれる表面積を変更する少なくとも１つの形状記憶合金繊維と、外形、即ち、ファブリックの電流を受けると調節可能な部分と、少なくとも１つの形状記憶合金繊維に電流を流す手段を有する。
【００１１】
１つの実施例では、少なくとも１つの形状記憶合金繊維は、断面が円形、楕円形、又は矩形である。別の実施例では、少なくとも１つの形状記憶合金繊維は、ファブリック内にシヌソイド又はフィッシュボーンのパターンで編み込まれる。
【００１２】
別の実施例では、少なくとも１つの形状記憶合金繊維は、電流を受けると真っ直ぐにされた位置から曲がった位置に変化する。更に別の実施例では、少なくとも１つの形状記憶合金繊維は、電流を受けるとファブリックの平面において真っ直ぐにされた位置から曲がった位置に変化する。別の実施例では、少なくとも１つの形状記憶合金繊維の第１の部分は、電流を受けると真っ直ぐにされた位置から第１の曲がった位置に変化し、少なくとも１つの形状記憶合金繊維の第２の部分は、電流を受けると真っ直ぐにされた位置から第２の曲がった位置に変化する。
【００１３】
別の実施例では、曲がった位置は、少なくとも１つの形状記憶合金繊維の長さの３乃至８％の曲げを含む。
【００１４】
別の実施例では、少なくとも１つの形状記憶合金は、絶縁層を有する。
【００１５】
別の実施例では、織り交ぜ合わされた織物繊維は、少なくとも１つの弾性材料を含む。
【００１６】
１つの実施例では、少なくとも１つの形状記憶合金繊維に電流を流す手段は、少なくとも１つの形状記憶合金繊維に流される電流を変更する電流調整器を有する。別の実施例では、選択される最大限は少なくとも１つの形状記憶合金繊維の全長の８％未満である。
【００１７】
１つの実施例では、少なくとも１つの形状記憶合金繊維は、少なくとも１つの織り交ぜ合わされた織物繊維に取り付けられる。
【００１８】
別の実施例では、ファブリックの表面積は、インクリメント的に調節可能である。
【００１９】
別の面において、調節可能な表面積を有するファブリックを製造する方法は、少なくとも１つの形状記憶合金繊維と共に織物繊維を織り込む段階と、少なくとも１つの形状記憶合金繊維を、少なくとも１つの形状記憶合金繊維に電流を通す手段に接続する段階と、表面積、外形、即ち、ファブリックの調節可能な部分が調節されるよう少なくとも１つの形状記憶合金繊維に流れる電流を制御する段階を有する。
【００２０】
本発明は、多くの利点を提供し、その一部を以下の実施例を参照しながら説明する。
【００２１】
［発明の詳細な説明］
提案するファブリック及び方法は、調節可能な表面積を有するファブリックを提供する。
【００２２】
図２Ａは、調節可能な表面積を有するファブリック１の好適な実施例を示す。ファブリック１は、織り込まれた織物繊維（図示せず）と少なくとも１つの形状記憶合金繊維４０から形成される。図２Ａでは、形状記憶合金繊維４０は、ファブリック１の面においてシヌソイドパターンで組み込まれる。形状記憶合金繊維４０は、直列、並列、又は個々にアドレス可能に電流発生器１００に接続される。電流発生器１００は、少なくとも１つの形状記憶合金繊維４０に電流を流して繊維を曲げる。電流発生器１００は、電池、又は電流を発生する任意の他の周知の手段であることが可能である。更に、電流発生器１００は、電流を変更する電流調整器も有しうる。これは、少なくとも１つの形状記憶合金繊維４０が選択された最大限に曲げられると好適でありうる。これは、破損又は効果のない長期の使用につながりうる形状記憶合金繊維４０の過度の曲げを阻止する。更に、電流調整器は、ファブリック１の表面積を制御する、例えば、異なる量の電流に対応する予め選択された設定に応じて表面積を変更するよう使用することが可能である。この構成では、ユーザは、様々な電流設定に応じて増加的に表面積を変更することが可能である。
【００２３】
図３Ａは、電流発生器１００がどの形状記憶合金繊維４０にも電流を流すことを止めたときの図２Ａのファブリック１を示す。形状記憶合金繊維４０の各湾曲部は真っ直ぐになる。この位置では、ファブリック１は、図２Ａに示す湾曲位置におけるよりも大きい表面積を有する。尚、図３Ａは、厳密に寸法が合わされて示されているわけではなく、また、真っ直ぐにされた位置も完全に直線である必要はなく、湾曲位置における湾曲より小さい複数の湾曲を含むことが可能である。
【００２４】
ファブリック１は、図３Ａの部分Ａの拡大図である図４Ａに示すように、織り交ぜられた織物繊維６０から部分的に形成される。形状記憶合金繊維４０は、ファブリック１の追加部を形成するよう繊維６０内に編み込まれる。形状記憶合金繊維４０は、電流発生器１００から電流を受けるときに電気又は熱絶縁を与えるよう絶縁材料でコーティングされることが可能である。図４Ａでは、電流は、形状記憶合金繊維４０を通されない。この真っ直ぐにされた位置では、織物繊維６０は、それらの織り方に応じて、又は、真っ直ぐにされた形状記憶合金繊維４０によって与えられる機械抵抗に応じて間隔があけられる。
【００２５】
図４Ｂは、湾曲位置にある（例えば、電流発生器１００から電流を受ける）形状記憶合金繊維４０を示す。この位置では、形状記憶合金繊維４０の湾曲は、織物繊維６０を動かす。このことは、ファブリック１の表面積を距離ｄ分減少する。織物繊維６０は、曲げる、物理的に移動する、又は位置を変更することによって形状記憶合金繊維４０における変化に適応するよう選択及び／又は構成される。１つの例として、図４Ｂには、織物繊維６０は、電流発生器１００が形状記憶合金繊維４０に電流を通すと、個々の繊維６０が織りにおいてそれらの位置を変え、それにより、織りを緩くするか又はきつくし、従って、ファブリック１の表面積を減少するよう緩く編み込みされることが可能である。真っ直ぐにされた位置（即ち、図４Ａ）では、織物繊維６０は、強制的に互いから離れるようにされ、それにより、ファブリック１の表面積を増加する。織物繊維６０は、弾性材料から形成されてもよい。
【００２６】
更なる例として、形状記憶合金繊維４０は、湾曲位置から真っ直ぐにされる位置までの変化の効果を高めるよう個々の織物繊維６０に物理的に接続されうる。この物理的な接続は、例えば、当該技術において一般的に知られている節止め、糸結び、又は接着剤を含むことが可能である。絶縁体が形状記憶合金繊維４０を覆う場合、織物繊維６０も絶縁体に取り付けられることが可能である。
【００２７】
図１Ａを再び参照するに、形状記憶合金繊維４０の全長は、形状記憶合金繊維の小さな部分から構成され得、各部分は、シヌソイドパターンを生成するよう僅かに異なる湾曲角度を有する。従って、電流発生器１００が形状記憶合金繊維４０に電流を流すと、各部分は、同じ電流に対して異なるように僅かに湾曲する。例えば、図２Ａにおける第１の部分αは、シヌソイドの一部を形成する第１の湾曲角度（例えば、第１の湾曲位置）を有し、第２の部分βは、反対の湾曲を形成する第２の湾曲角度（例えば、第２の湾曲位置）を有しうる。これは、図２Ａに示す形状記憶合金繊維４０のシヌソイドパターンを与える。
【００２８】
図２Ａの構成の変形が多く存在する。１つの例として、図２Ｂは、水平形状記憶合金繊維４０が、垂直形状記憶合金繊維５０と共に編み込みされるファブリック１を示す。電流発生器１００が、各形状記憶合金繊維（即ち、４０及び／又は５０）を個別にアドレスすると、ファブリック１の表面積は、図３Ｂに示すように、垂直に、水平に、又は垂直及び水平の両方に選択的に増加可能である。
【００２９】
図２Ｃは、フィッシュボーン構成にある形状記憶合金繊維４０を有するファブリック１を示す。形状記憶合金繊維４０の一部は、電流受けたときにファブリック１の表面積に影響を与えるよう互いに向かうよう、互いから離れるよう、又は別の方法で曲がるよう生成されることが可能である。
【００３０】
形状記憶合金繊維４０は、図５Ａ、図５Ｂ、及び図５Ｃにそれぞれ示すように、断面において、円形、楕円形、又は矩形であることが可能である。図５Ａは、形状記憶合金繊維４０を囲む絶縁層４００を更に示す。
【００３１】
ファブリック１は、ファブリックを生成する織物を織る任意の周知の手段によって製造可能である。形状記憶合金繊維４０は、上述したように特定のパターンにおいて織物繊維６０内に織り込まれることが可能である。形状記憶合金繊維４０は、例えば、従来技術において周知であるようにファブリック１内に織り込まれる接続によって、又は、ファブリック１の織りの外側に配置される接続によって形状記憶合金繊維４０に電流を流す源に接続されることが可能である。電流発生器１００は、ファブリックの表面積が調節されるよう少なくとも１つの形状記憶合金繊維４０に流される電流を制御する。
【００３２】
図６Ａは、選択的に調整可能な形状を有する衣服１００の好適な実施例を示す。衣服１００は、Ｔシャツである。衣服１００は、少なくとも１つの調節可能な部分２００、２１０、２２０を有する。調節可能な部分は、衣服１００の少なくとも１つの部分２００、２１０、２２０を調節可能にするよう織物繊維に織り込まれる少なくとも１つの形状記憶合金繊維から構成される。図１の例では、衣服１は、調節可能な襟２００、調節可能袖２１０、及び調節可能な胴領域２２０を有する。各調節可能部分２００、２１０、及び２２０は、少なくとも１つの形状記憶合金繊維から形成され、これは、湾曲位置から直線位置に変化する際に、調節可能部分２００、２１０、２２０の表面積を調整する。衣服１００が形成されるファブリックは、織り交ぜられた織物繊維（図示せず）と少なくとも１つの形状記憶合金繊維から構成される。
【００３３】
図６Ａでは、形状記憶合金繊維は、衣服１００におけるその位置に依存して特定のパターンに組み込まれる。例えば、調節可能な襟部分２００における形状記憶合金繊維２３０は、ファブリック１００の面において、シヌソイドパターンに形成される。形状記憶合金繊維２３０の正確なパターンは、様々な調節可能部分の様々な要件に対応して選択可能である。例えば、袖の調節可能部分２１０における形状記憶合金２３０のパターンは、調節可能な襟部分２００におけるパターンとは異なり得る。付属物又は着用者の体の一部を含む衣服１００の任意の部分は、調節可能な部分を含むことが可能である。更に、付属物を含まない衣服１００の部分も、調節可能な部分を含むことが可能である。更に、複数の形状記憶合金繊維は、直列で又は並列で接続されてもよい。例えば、衣服１００は、並列にされた複数の形状記憶合金繊維から形成される調節可能な同領域２２０を有する。
【００３４】
形状記憶合金繊維２３０は、直列、並列、又は個別にアドレス可能に電流発生器２５０に接続される。電流発生器２５０は、少なくとも１つの形状記憶合金繊維２３０に電流を流し、それにより、繊維を曲げる。電流発生器２５０は、電池、又は、電流を発生する任意の他の周知の手段であることが可能である。更に、電流発生器２５０は、電流を変更する電流調節器を有することが可能である。これは、一旦少なくとも１つの形状記憶合金繊維２３０が選択された最大限に曲がる場合に望ましい。このことは、破損又は効果のない長期間の使用につながりうる形状記憶合金繊維２３０の過度の曲げを阻止する。更に、電流調整器は、調節可能な領域を制御するよう、例えば、様々な量の電流に対応する予め選択された設定に応じて表面積を変更するよう使用可能である。この構成において、衣服１００の着用者は、様々な電流設定及び所望のサイズに応じて増加的に調節可能部分２００、２１０、２２０を変更することが可能である。
【００３５】
図６Ｂは、図６Ａの衣服１００の小さな部分を示す。電流発生器２５０が、例えば、調節可能な襟部２００における形状記憶合金繊維２３０に電流を流すことを止めると、曲がった部分は、図８にあるように真っ直ぐになる。図８に示す位置では、衣服１００の調節可能部分は、図６Ａに示す湾曲位置におけるより大きい表面積を有する。尚、図８は、厳密に寸法が測られているわけではなく、また、真っ直ぐにされた位置は、完全に直線である必要はなく、湾曲位置における湾曲より小さい複数の湾曲を含むことが可能である。
【００３６】
形状記憶合金繊維２３０は、一方向又は双方向記憶効果を有するよう選択可能である。一方向記憶効果の場合、形状記憶合金繊維２３０は機械的に変形され、この変形は、所与の温度以上で変形された形状記憶合金繊維２３０を加熱することによって戻される。形状記憶合金繊維２３０の冷却は、形状における任意の更なる変化をもたらさない。形状記憶合金繊維２３０はある温度を超えると変形するが、この温度は、繊維が構成される材料の材料特性に依存する。一方向記憶効果の形状記憶合金繊維２３０を含む調節可能部分２００、２１０、２２０を有する衣服１００は、形状及び／又はサイズにおける１回の調節に有用である。例えば、衣服は、大量生産されて、単一のサイズで販売されることが可能である。衣服が購入されると、着用者は、衣服１００の少なくとも１つの調節可能部分２００、２１０、及び２２０を特に加熱することが可能であり、それにより、所望のカスタマイズされた不可逆のフィットを達成する。電流発生器２５０を配置することが可能である。追加の例として、形状記憶合金繊維２３０が構成される材料は、着用者の体温が、一方向変形をもたらすよう選択可能である。従って、着用者が一旦衣服１００を着ると、調節可能部分２００、２１０、２２０は、着用者の体の抵抗が機械変更を上回るまで調節する。この例では、衣服１００は、着用者の体に対して不可逆で自動カスタマイズする。
【００３７】
双方向記憶効果の場合、形状記憶合金繊維２３０の交互の加熱が、変形及び変形の中止（例えば、２つの変形状態）をもたらす。例えば、衣服１００は、着用者の所望のフィットにそれぞれ可逆にカスタマイズされる調節可能部分２００、２１０、２２０を含むことが可能である。この例では、単一の衣服が、複数の着用者によって着用され、また、望む通り又は電流発生器２５０における予め設定された設定によって規定されるように調節されることが可能である。
【００３８】
衣服１００は、図６Ｂの部分Ａの拡大図である図８Ｂに示すように、織り交ぜられた織物繊維６０から部分的に形成される。形状記憶合金繊維２３０は、繊維６００に編み込みされ、それにより、衣服１００の調節可能部分を形成する。形状記憶合金繊維２３０は、電流発生器２５０からの電流を受けるときの電気又は熱の絶縁を与えるよう絶縁材料でコーティングされることが可能である。図８Ａでは、形状記憶合金繊維２３０には電流が流されていない。この真っ直ぐにされた位置では、織物繊維６００は、それらの織りに応じて又は真っ直ぐにされた形状記憶合金繊維２３０によって与えられる機械抵抗に応じて又は他の手段によって間隔があけられる。
【００３９】
図８Ｂは、湾曲位置（例えば、電流発生器２５０から電流を受ける）における形状記憶合金繊維２３０を示す。この位置では、形状記憶合金繊維２３０の湾曲は、織物繊維６００を動かす。これは、衣服１００の調節可能部分の表面積を距離ｄ分減少する。織物繊維６００は、曲げる、物理的に移動する、又は位置を変更することによって形状記憶合金繊維２３０における変化に適応するよう選択及び／又は構成される。１つの例として、図８Ｂには、織物繊維６００は、電流発生器２５０が形状記憶合金繊維２３０に電流を通すと、個々の繊維６００が織りにおいてそれらの位置を変え、それにより、織りを緩くするか又はきつくし、従って、衣服１００の調節可能部分の表面積を減少するよう緩く編み込みされることが可能である。真っ直ぐにされた位置（即ち、図８Ａ）では、織物繊維６００は、強制的に離れるようにされ、それにより、衣服１００の調節可能部分の表面積を増加する。織物繊維６００は、弾性材料から形成されてもよい。
【００４０】
更なる例として、形状記憶合金繊維２３０は、湾曲位置から真っ直ぐにされる位置までの変化の効果を高めるよう個々の織物繊維６００に物理的に接続されうる。この物理的な接続は、例えば、当該技術において一般的に知られている節止め、糸結び、又は接着剤を含むことが可能である。絶縁体が形状記憶合金繊維２３０を覆う場合、織物繊維６００も絶縁体に取り付けられることが可能である。
【００４１】
図６Ｂを再び参照するに、形状記憶合金繊維２３０の全長は、形状記憶合金繊維の小さな部分から構成され得、各部分は、シヌソイドパターンを生成するよう僅かに異なる湾曲角度を有する。従って、電流発生器２５０が形状記憶合金繊維２３０に電流を流すと、各部分は、同じ電流に対して異なるように僅かに湾曲する。例えば、図６Ｂにおける第１の部分は、シヌソイドの一部を形成する第１の湾曲角度（例えば、第１の湾曲位置）を有し、第２の部分は、反対の湾曲を形成する第２の湾曲角度（例えば、第２の湾曲位置）を有しうる。これは、図６Ａに示す形状記憶合金繊維２３０のシヌソイドパターンを与える。
【００４２】
図６Ａの構成の変形が多く存在する。１つの例として、図６Ｃは、水平形状記憶合金繊維２３０が、垂直形状記憶合金繊維３３０と共に編み込みされる調節可能部分を有する衣服１００を示す。電流発生器２５０が、各形状記憶合金繊維（即ち、２３０及び／又は３３０）を個別にアドレスすると、衣服１００の調節可能部分の表面積は、図７に示すように、垂直に、水平に、又は垂直及び水平の両方に選択的に増加可能である。
【００４３】
衣服１００は、パターニングされ衣服を生成するよう互いに接続されるファブリックを生成する織物を織る任意の周知の手段によって製造されることが可能である。形状記憶合金繊維２３０は、上述したように特定のパターンにおいて織物繊維６００内に織り込まれることが可能である。形状記憶合金繊維２３０は、例えば、従来技術において周知であるようにファブリック内に織り込まれる接続によって、又は、ファブリックの織りの外側に配置される接続によって形状記憶合金繊維２３０に電流を流す源に接続されることが可能である。電流発生器２５０は、衣服１００の調節可能部分の表面積が調節されるよう少なくとも１つの形状記憶合金繊維２３０に流される電流を制御する。
【００４４】
衣服は全ての型及び形状で入荷される。例えば、図９は、調節可能部分２００、２１０、２２０、及び６１０を含むシャツ６０８を示す。調節可能部分２００、２１０、２２０、及び６１０は、具体的に調整可能な部分のパターンから形成され、これは、まとめて、着用者のからだに衣服をフィットさせる手段を構成する。例えば、調節可能な袖部２１０は、部分２１０ａ、２１０ｂ、２１０ｃから形成され、それぞれ、電流発生器２５０によって独立してアドレス可能であり、少なくとも１つの形状記憶合金繊維２３０を有する。調節可能な袖部２１０は、例えば、部分２１０ａ及び２１０ｂのみの調節を選択することによって増加的に調節可能である。追加の例として、調節可能な襟部２００は、部分２００ａ、２００ｂ、２００ｃ、２００ｄ、及び２００ｅを有し、調節可能な胴部２２０は、部分２２０ａ、２２０ｂ、２２０ｃ、２２０ｄ、及び２００ｅを有し、調節可能な腰部６１０は、部分６１０ａ、６１０ｂ、６１０ｃ、６１０ｄ、及び６１０ｅを有する。任意の数の個別にアドレス可能な部分が、調節可能部分２００、２１０、２２０、２３０、及び６１０を形成可能である。
【００４５】
更に、個別にアドレス可能な部分のグループ分けは、予め選択された構成で行われることが可能である。例えば、着用者Ａに対しては、電流発生器２５０は、部分２００ａ、２００ｃ、２００ｅ、２１０ａ、２２０ｄ、２２０ｅ、及び６１０ｃにおいてのみ調節可能部分２００、２１０、２２０、及び６１０を調節するようプログラム可能である。着用者は、電流発生器２５０内に含まれるプログラミング装置を用いて調節自体をプログラム可能である。更に、予め設定したサイズを電流発生器２５０内にプログラムすることが可能であり、それにより、着用者は、特定のサイズ（即ち、スモール、ミディアム、ラージ、エキストララージ）を選択可能であり、対応する部分が適宜調節される。
【００４６】
衣服１００は、図１０に示すように靴下７００であることも可能である。靴下７００は、調節可能部分７１０、７２０、７３０を有することが可能であり、それぞれ、少なくとも１つの形状記憶合金繊維２３０を含む。更に、靴下７００は、靴下７００を、別個の衣服に位置付けられ得る外部の電流発生器に接続する接続手段７５０を有し得る。接続手段２５０は、ファブリック内に組み込まれた電子機器間の電気接続を形成する任意の手段であることが可能である。
【００４７】
衣服１００は、図１１に示すようにスカート８００であることも可能である。スカート８００は、調節可能部分８１０、８２０、８３０、及び８４０を有する。調節可能な腰部分８１０は、部分８１０ａ−８１０ｄから形成される。調節可能な丈部分８１０は、スカート８００の丈の少なくとも一部を横断する少なくとも１つの形状記憶合金繊維２３０を有することが可能である。従って、衣服１００は、部分（例えば８１０ａ−８１０ｄ）から形成される調節可能部分と、部分を有すること形成される調節可能部分の両方を含むよう生成可能である。スカート８００は、スリット８７０も有する。調節可能なスリット部分８４０に含まれる形状記憶合金繊維２３０内に電流を流すことによって、スリット８７０のサイズ、形状、及び／又は幅における変更が実現される。スカート８００は、電流発生器２５０を含むか、又は、外部電流源に接続可能である。
【００４８】
衣服１００は、図１２に示すようにズボン９００であることも可能である。ズボン９００は、調節可能部分９１０、９２０、及び９３０を有する。調節可能な腰部分９１０は、部分９１０ａ−９１０ｇを有する。尚、部分９１０ｄは、部分９１０ａ−９１０ｃ、及び９１０ｅ−９１０ｇより実質的に大きいことが可能である。これは、調節可能部分９１０のこの部分は、着用者の付属物を入れたり出したりするのに最も好適だからである。しかし、部分９１０ｄは、ズボン９００の周囲のどこにあってもよい。ズボン９００は更に、２つの電流発生器２５０ａ及び２５０ｂを有し、これらはそれぞれ、異なる調節可能部分９３０に対して電流を発生可能である。
【００４９】
衣服１００は更に、図１３に示すようにネクタイ１０００であることも可能である。ネクタイ１０００は、調節可能部分１０１０及び１０２０を有することが可能である。調節可能部分１０１０は、部分１０１０ａ−１０１０ｄを有する。更にネクタイ１０００は、電気接続１０３０を有することが可能であり、この電気接続は、２つの衣服を電気接続する任意の他の周知の手段によって裏面にある電気接続に接触する。
【００５０】
衣服１００は、図１４に示すようにワンピース１１００であることも可能である。ワンピースは、調節可能部分１１１０、１１２０、１１３０、１１４０、１１５０、及び１１６０を有する。調節可能な首開口１１１０は、部分１１１０ａ−１１１０ｅを有する。調節可能な袖部１１２０は、部分１１２０ａ−１１２０ｃを有する。調節可能な胴部１１３０は、部分１１３０ａ−１１３０ｆを有する。調節可能な腰部１１４０は、部分１１４０ａ−１１４０ｃを有する。ワンピース１１００のスカート部は、丈調節可能部分１１５０及び周囲調節可能部分１１６０を有する。
【００５１】
衣服１００は、図１５に示すようにブラジャー１２００であることも可能である。ブラジャー１２００は、調節可能部分１２１０、１２２０、１２３０、及び１２４０を有する。調節可能なアンダーカップ部１２１０は、調節可能なアンダーカップ部１２１０内の形状記憶合金繊維２３０に電流が流されると着用者が胸のアンダーワイヤサポートを変更することを可能にするよう生成可能である。調節可能なカップ形状１２２０は、形状記憶合金繊維２３０に電流が流されると人間の胸周りのフィットを変更するよう着用者が円錐カップ形状を変更することを可能にするよう生成可能である。少なくとも１つの形状記憶合金繊維２３０は、スパイラルパターンに構成されることが可能であり、それにより、電流を通すことによって、調節可能なカップ部１２２０の外形が変更する。調節可能なストラップ部１２３０は、着用者がストラップの長さと形状を変更することが可能であるよう生成可能である。調節可能なストラップ部１２４０は、着用者がストラップ外周を変更することを可能にするよう生成可能である。更に、ブラジャー１２００は、調節可能部分１２１０−１２４０内の形状記憶合金繊維を電流発生器に接続する接続手段１２５０を有する。更に、ブラジャーは、別個の電流発生器（図示せず）を含むことが可能である。
【００５２】
衣服１００は、図１６に示すように下着１３００であることも可能である。下着１３００は、調節可能部分１３１０、１３２０、及び１３３０を有する。
【００５３】
衣服１００は、図１７に示すように帽子１４００であることも可能である。帽子１４００は、調節可能部分１４１０及び１４２０を有する。調節可能部分１４１０は、着用者が、帽子１４００のフィットを変更することが可能であるよう生成可能である。調節可能部分１４２０は、着用者が帽子１４００のサイズを変更することが可能であるよう生成可能である。
【００５４】
衣服１００は、図１８Ａ及び１８Ｂにそれぞれ示すように、手袋１５００又はミトン１５１０であることも可能である。手袋１５００は、指調整可能部分１５２０と、手首調節可能部分１５３０を有する。ミトン１５１０は、調節可能な指形部分１５４０と、調節可能な親指部分１５５０を有する。
【００５５】
衣服１００は、図１９に示すように靴１６００であることも可能である。靴１６００は、調節可能な足根部１６１０と、調節可能な足首部１６３０を有する。調節可能な足根部１６１０は、着用者が、着用者の足の足根を覆う靴１６００の部分の曲率を調節することを可能にするよう生成可能である。靴１６００は更に、靴１６００のかかと内に埋め込みされうる電流発生器２５０か、又は、歩行の機械的動作から電流を発生する発生器を含み得る。更に、靴１６００は、靴１６００の調節可能部分１６１０、１６３０における形状記憶合金繊維２３０を、外部の電流発生器に接続する電気接続１６４０を含むことが可能である。
【００５６】
衣服１００は、図２０に示すようなバッグ１７００であることも可能である。バッグ１７００は、調節可能なストラップ部１７２０及び調節可能なファスナー部１７１０を有することが可能である。
【００５７】
衣服１００は更に、ショートパンツ、スカーフ、ブーツ、ジャケット、コート、サンダル、スリッパ、ヘッドバンド、ベルト、スポーツコート、スーツ、パジャマ、靴下、髪を集める手段、バックパック、財布、ブリーフケース、ハンドバッグ、サスペンダー、ベスト、リストバンド、靴紐、カツラ、又は任意の他の周知の衣類製品のうちの任意のものであることが可能である。
【００５８】
図２１は、調節可能な表面外形を有するファブリック１から形成される衣服の好適な実施例を示す。ファブリック１は、織り交ぜられた織物繊維（図示せず）と少なくとも１つの形状記憶合金繊維２１００を含むファブリック（即ち、部分Ｉ）から形成される。図２２は、図２１の部分Ｉの拡大図を示す。図２２では、形状記憶合金繊維２１００は、ファブリックの面においてスパイラルパターンで組み込まれる。形状記憶合金繊維２１００は、直列、並列、又は個々にアドレス可能に電流発生器２５０に接続される。電流発生器２５０は、少なくとも１つの形状記憶合金繊維２１００に電流を流し、それにより、繊維を曲げる。スパイラルパターンの形状に基づいて、このことは、残りの平らな部分の面の外側にファブリックの外形を調節するよう曲がる。
【００５９】
図２３は、形状記憶合金繊維２１００は何れも電流を受けていないときの図２２の側面図を示す。電流発生器２５０が一旦電流を形状記憶合金繊維２１００に流すと、曲げが発生する。形状記憶合金繊維２１００のスパイラルパターンによって、電流が流されると、図２４に示すように、領域２１０１がファブリックの面から外側に隆起する。形状記憶合金繊維２１００は、電流を受けるとファブリックの外形を湾曲し且つ調整するようスパイラルパターンで織物繊維と共に編み込みされる。
【００６０】
電流発生器２５０は、電池、又は、電流を発生する任意の他の周知の手段であることが可能である。更に、電流発生器２５０は、電流を変更する電流調整器を有することが可能である。これは、一旦少なくとも１つの形状記憶合金繊維２１００が選択された最大限に曲げられる場合に望ましい。これは、破損、又は、効果のない長期の使用をもたらしうる形状記憶合金繊維２１００の過度の曲げを阻止する。更に、電流調整器は、ファブリック１の表面積を制御する、例えば、様々な量の電流に対応する予め選択された設定に応じて表面積を変更するよう使用可能である。この構成において、ユーザは、様々な電流設定に応じて増加的に表面積を変更可能である。
【００６１】
図６は、電流発生器２５が形状記憶合金繊維４０に電流を流した時の図５のファブリック１を示す。形状記憶合金繊維４０の湾曲部の少なくとも一部は真っ直ぐにされる。この位置では、ファブリック１は、湾曲位置におけるよりも調節された外形を有する。尚、図６は、厳密に寸法を測っているわけではなく、また、真っ直ぐにされた位置は完全に直線である必要はなく、湾曲位置に置ける湾曲より小さい複数の湾曲を含むことが可能である。
【００６２】
図２５は、湾曲位置（例えば、電流発生器２５０から電流を受ける）における形状記憶合金繊維２１００を示す。この位置では、形状記憶合金繊維２１００は、織物繊維２１０２を動かす。これは、ファブリック１の表面外形を調節し、隆起した領域２１０１をもたらす。織物繊維２１０２は、曲げる、物理的に移動する、又は位置を変更することによって形状記憶合金繊維２１００における変化に適応するよう選択及び／又は構成される。１つの例として、図２５では、織物繊維２１０２は、電流発生器２５０が形状記憶合金繊維２１００に電流を通すと、個々の繊維２１０２が織りにおいてそれらの位置を変え、それにより、織りを緩くするか又はきつくし、従って、ファブリック１の表面積を減少するよう緩く編み込みされることが可能である。湾曲位置（即ち、図２５）では、織物繊維２１０２は、動かされ、それにより、ファブリック１の表面外形を調節する。織物繊維２１０２は、弾性材料から形成されてもよい。
【００６３】
更なる例として、形状記憶合金繊維２１００は、湾曲位置から真っ直ぐにされる位置までの変化の効果を高めるよう個々の織物繊維２１０２に物理的に接続されうる。この物理的な接続は、例えば、当該技術において一般的に知られている節止め、糸結び、又は接着剤を含むことが可能である。絶縁体が形状記憶合金繊維２１００を覆う場合、織物繊維２１０２も絶縁体に取り付けられることが可能である。
【００６４】
図２６は、アーチ状パターンの調節可能な外形領域を有する図２１の領域Ｉの拡大図を示す。この構成では、形状記憶合金繊維２１００は、外形調節可能領域２１０３を形成するよう織物繊維と共に編み込みされる。各外形調節可能領域２１０３は、電流発生器２５０によって個々にアドレス可能である。外形調節可能領域２１０３がアドレスされ電流を受け取ると、調節可能領域２１０３における形状記憶合金繊維２１００は、アーチを形成するよう曲がる。アーチは、図２７に示すように、調節可能領域２１０３が隆起外形２１０４を形成するようにする。
【００６５】
図２８は、ブルズアイパターンの調節可能な外形領域を有する図２１の領域Ｉの拡大図を示す。この構成では、形状記憶合金繊維２１００は、外形調節可能領域２１０５を形成するよう織物繊維と共に編み込みされる。各外形調節可能領域２１０５は、電流発生器２５０によって個々にアドレス可能である。外形調節可能領域２１０５がアドレスされ電流を受け取ると、調節可能領域２１０５における形状記憶合金繊維２１００は曲がる。これは、楕円形又は円形リング２１０６を隆起させる。リング２１０６及び２１０７は、形状記憶合金繊維２１００によって隆起される。形状記憶合金繊維は、調節可能領域２１０５が図２９に示すように隆起した外形２１０８を形成するようにする。
【００６６】
ファブリック１は、ファブリックを生成する任意の織物を織る周知の手段によって製造可能である。形状記憶合金繊維２１００は、上述したように特定のパターンで織物繊維と共に織り込められることが可能である。形状記憶合金繊維２１００は、例えば、従来技術において周知であるようにファブリック１内に編み込まれた接続によって、又は、ファブリック１の織りの外側に配置される接続によって形状記憶合金繊維２１００に電流を通す源に接続されことが可能である。電流発生器２５０は、ファブリックの表面積が調節されるよう少なくとも１つの形状記憶合金繊維２１００を流れる電流を制御する。
【００６７】
ファブリック１は、図３０に示すような靴下２１３０といった衣服を形成可能である。この靴下２１３０は、超越可能な外形足領域２１３１といった調節可能部分を有することが可能である。調節可能な外形足領域２１３１は、スパイラルパターンに織物（図示せず）に編み込まれる少なくとも１つの形状記憶合金繊維２１００を含む。更に、靴下２１３０は、靴下２１３０を別個の衣服に位置付けられ得る外部電流発生器に接続する接続手段２１３２を有することが可能である。接続手段２１３２は、ファブリック内に組み込まれた電子機器間の電気接続を形成する任意の周知の手段であることが可能である。
【００６８】
ファブリック１は、図３１に示すようなブラジャー２１４０を形成することも可能である。ブラジャー２１４０は、調節可能部分２１４１を有する。調節可能な外形カップ部２１４１は、形状記憶合金繊維２１００に電流が流されたときに人間の胸周りのフィットを変更するよう円錐カップ形状を着用者が変更することを可能にするよう生成可能である。少なくとも１つの形状記憶合金繊維２１００は、スパイラルパターンに構成されることが可能であり、それにより、電流を流すことによって、調節可能なカップ部２１４１の外形を変更する。更に、ブラジャー２１４０は、調節可能部分２１４１における形状記憶合金繊維を電流発生器に接続する接続手段２１４２を有する。更に、ブラジャー２１４０は、別個の電流発生器（図示せず）を有することが可能である。
【００６９】
ファブリック１は、図３２に示すような下着２１５０を形成することも可能である。下着２１５０は、調節可能な外形部２１５１を有する。
【００７０】
ファブリック１は、図３３に示すような靴の中敷き２１６０を形成することも可能である。靴の中敷き２１６０は、アーチ状パターンの調節可能な外形領域を有する。この構成では、形状記憶合金繊維２１００は、外形調節可能な領域２１６１を形成するよう織物繊維と共に編み込みされる。各外形調節可能な領域２１６１は、電流発生器２５０によって個々にアドレス可能である。外形調節可能領域２１６１がアドレスされ電流を受け取ると、その領域は、着用者の足下でファブリック１の外形を変更する。このことは、血行及び健康を増加するために着用者にマッサージ効果を与えるよう使用可能である。
【００７１】
上述した表現及び例は、例示的であり、本発明の請求項の範囲を限定するものではない。
【図面の簡単な説明】
【００７２】
【図１】導電繊維を有する従来技術の衣服を示す図である。
【図２Ａ】本発明による湾曲位置にある少なくとも１つの形状記憶合金繊維を有する調節可能な表面積を有するファブリックを示す図である。
【図２Ｂ】本発明による湾曲位置にある少なくとも２つの形状記憶合金繊維を有する調節可能な表面積を有するファブリックを示す図である。
【図２Ｃ】本発明による少なくとも１つの形状記憶合金を有する調節可能な表面積を有するファブリックの別の実施例を示す図である。
【図３Ａ】本発明による伸ばされた位置にある少なくとも１つの形状記憶合金繊維を有する図１Ａのファブリックを示す図である。
【図３Ｂ】本発明による伸ばされた位置にある少なくとも２つの形状記憶合金繊維を有する図１Ａのファブリックを示す図である。
【図４Ａ】図２Ａのファブリックの部分Ａを示す拡大図である。
【図４Ｂ】図１Ａのファブリックの部分Ａを示す拡大図である。
【図５Ａ】断面が円形である形状記憶合金繊維を示す図である。
【図５Ｂ】断面が楕円形である形状記憶合金繊維を示す図である。
【図５Ｃ】断面が矩形である形状記憶合金繊維を示す図である。
【図６Ａ】本発明による湾曲位置にある少なくとも１つの形状記憶合金繊維を有する選択的に調節可能な形状を有する衣服を示す図である。
【図６Ｂ】本発明による湾曲位置にある少なくとも１つの形状記憶合金繊維を有する調整可能な形状を有するファブリックから形成される図６Ａの衣服の一部を示す図である。
【図６Ｃ】本発明による少なくとも２つの形状記憶合金繊維を有する調節可能な形状を有するファブリックから形成される図６Ａの衣服の別の実施例を示す図である。
【図７】本発明による伸ばされた位置にある少なくとも２つの形状記憶合金繊維を有する図６Ｃに示す図６Ａの衣服の一部を示す図である。
【図８Ａ】図７の衣服の部分Ａを示す拡大図である。
【図８Ｂ】図６Ｂのファブリックの部分Ａを示す拡大図である。
【図９】本発明によるシャツを示す図である。
【図１０】本発明による靴下を示す図である。
【図１１】本発明によるスカートを示す図である。
【図１２】本発明によるズボンを示す図である。
【図１３】本発明によるネクタイを示す図である。
【図１４】本発明によるワンピースを示す図である。
【図１５】本発明によるブラジャーを示す図である。
【図１６】本発明による下着を示す図である。
【図１７】本発明による帽子を示す図である。
【図１８Ａ】本発明による手袋を示す図である。
【図１８Ｂ】本発明によるミトンを示す図である。
【図１９】本発明による靴を示す図である。
【図２０】本発明によるバッグを示す図である。
【図２１】本発明による湾曲位置にある少なくとも１つの形状記憶合金繊維を有する調節可能な表面外形を有するファブリックから形成される衣服を示す図である。
【図２２】スパイラルパターンの調節可能な外形領域を有する図２１の領域Ｉを示す拡大図である。
【図２３】外形が比較的平らであるよう選択されるときの図２２の９０度回転された側面図である。
【図２４】外形が隆起部を有するよう選択されるときの図２２の９０度回転された側面図である。
【図２５】本発明による湾曲位置にある少なくとも１つの形状記憶合金繊維を有するファブリックを示す図である。
【図２６】アーチ状パターンの調節可能な外形領域を有する図２１の領域Ｉを示す拡大図である。
【図２７】外形が隆起部を有するよう選択されるときの図２６の９０度回転された側面図である。
【図２８】ブルズアイパターンの調節可能な外形領域を有する図２１の領域Ｉを示す拡大図である。
【図２９】外形は隆起部を有するよう選択されるときの図２８の９０度回転された側面図である。
【図３０】少なくとも１つの調節可能な外形部を有する靴下を示す図である。
【図３１】少なくとも１つの調節可能な外形部を有するブラジャーを示す図である。
【図３２】少なくとも１つの調節可能な外形部を有する下着を示す図である。
【図３３】少なくとも１つの調節可能な外形部を有する靴の中敷きを示す図である。
【図１】
2007510815.tif 000003
【図２Ａ】
2007510815.tif 000004
【図２Ｂ】
2007510815.tif 000005
【図２Ｃ】
2007510815.tif 000006
【図３Ａ】
2007510815.tif 000007
【図３Ｂ】
2007510815.tif 000008
【図４Ａ】
2007510815.tif 000009
【図４Ｂ】
2007510815.tif 000010
【図５Ａ】
2007510815.tif 000011
【図５Ｂ】
2007510815.tif 000012
【図５Ｃ】
2007510815.tif 000013
【図６Ａ】
2007510815.tif 000014
【図６Ｂ】
2007510815.tif 000015
【図６Ｃ】
2007510815.tif 000016
【図７】
2007510815.tif 000017
【図８Ａ】
2007510815.tif 000018
【図８Ｂ】
2007510815.tif 000019
【図９】
2007510815.tif 000020
【図１０】
2007510815.tif 000021
【図１１】
2007510815.tif 000022
【図１２】
2007510815.tif 000023
【図１３】
2007510815.tif 000024
【図１４】
2007510815.tif 000025
【図１５】
2007510815.tif 000026
【図１６】
2007510815.tif 000027
【図１７】
2007510815.tif 000028
【図１８Ａ】
2007510815.tif 000029
【図１８Ｂ】
2007510815.tif 000030
【図１９】
2007510815.tif 000031
【図２０】
2007510815.tif 000032
【図２１】
2007510815.tif 000033
【図２２】
2007510815.tif 000034
【図２３】
2007510815.tif 000035
【図２４】
2007510815.tif 000036
【図２５】
2007510815.tif 000037
【図２６】
2007510815.tif 000038
【図２７】
2007510815.tif 000039
【図２８】
2007510815.tif 000040
【図２９】
2007510815.tif 000041
【図３０】
2007510815.tif 000042
【図３１】
2007510815.tif 000043
【図３２】
2007510815.tif 000044
【図３３】
2007510815.tif 000045
【国際調査報告】
2007510815.tif 000046
2007510815.tif 000047
2007510815.tif 000048